(57)【要約】【課題】装着方向が予め決まっている表示素子を実装する際に、表示素子の表示面の近傍で高さも近い位置で実装方向を簡単に視認でき、誤装着防止可能である加熱調理器を提供すること。【解決手段】ホルダー９は、表示素子５の表示面７の鉛直上方から見て表示素子５で表示される表示形状のうち少なくとも一部の特定の表示形状と同一、または相似、または前記特定の表示形状を示すことを認識できる程度に変形した形の凹形状または凸形状に形成した実装方向指示部を、前記特定の表示形状の近傍の前記面に設ける。【選択図】図１
2014153043.tif 000002
【特許請求の範囲】
【請求項１】
被加熱体を載置する少なくとも一部を光透過性とした光透過部を有する絶縁板と、前記絶縁板の下方に設けられ、前記被加熱体を加熱する加熱部と、前記加熱部の状態表示を外形が略長方形で構成された表示素子の点灯により前記絶縁板の前記光透過部を介して図形または文字として表示する表示部と、前記表示素子の周囲に設けられ前記表示素子の表示面と平行の面を有し、前記表示素子を収納するホルダーと、を備え、前記表示素子の表示形状は表示中でなくても視認可能であり、前記ホルダーは、前記表示面の鉛直上方から見て前記表示素子で表示される前記表示形状のうち少なくとも一部の特定の表示形状と同一、または相似、または前記特定の表示形状を示すことを認識できる程度に変形した形の凹形状または凸形状に形成した実装方向指示部を、前記特定の表示形状の近傍の前記面に設けた構成の加熱調理器。
【請求項２】
前記表示素子は、７セグメントで構成する数字表示と略円形のドット表示を少なくともそれぞれ１つ有する１桁または複数桁の数字表示素子とし、前記特定の表示形状は前記ドット表示とした構成の請求項１に記載の加熱調理器。
【請求項３】
被加熱体を載置する少なくとも一部を光透過性とした光透過部を有する絶縁板と、前記絶縁板の下方に設けられ、前記被加熱体を加熱する加熱部と、前記加熱部の状態表示を外形が略長方形で構成された表示素子の点灯により前記絶縁板の前記光透過部を介して図形または文字として表示する表示部と、前記表示素子の周囲に設けられ前記表示素子の表示面と平行の面を有し、前記表示素子を収納するホルダーと、を備え、前記表示素子の表示形状は表示中でなくても視認可能であり、前記ホルダーは、凹形状または凸形状に形成された方向を示す目印を前記表示素子の近傍の前記面に有し、前記表示部は、前記表示形状によって上下または左右の識別が可能である構成の加熱調理器。
【請求項４】
前記表示部は、前記ホルダーの上方に設けられて光を透過させる光透過形状が図形または文字の形状をしたメンブレンを介して、発光素子の点灯により前記加熱部の状態表示をし、前記ホルダーは、前記発光素子の前記メンブレンへの照射範囲を任意の範囲に限定するような形状とし、前記表示素子の表示面は、前記メンブレンと略同一高さの面で表示するようにした請求項１〜３のいずれか１項に記載の加熱調理器。
【発明の詳細な説明】
【技術分野】
【０００１】
本発明は、一般家庭やレストラン及びオフィスなどで使用され、加熱状態に応じた内容を表示する表示手段を備えた加熱調理器に関するものである。
【背景技術】
【０００２】
従来、プリント配線板等に、極性が予め決まっている電子部品を実装する際は、部品の極性の誤装着を防ぐために、プリント配線板上の実装部周辺に電子部品の極性が分かるようなシンボルマークまたは極性表示マークを印刷する、という方法が開示されている（例えば特許文献１参照）。
【先行技術文献】
【特許文献】
【０００３】
【特許文献１】実公昭５８−４３２４０号公報
【発明の概要】
【発明が解決しようとする課題】
【０００４】
しかしながら、前記従来の方法を表示素子に適用しようとすると、一般に表示素子の表示面はプリント配線板に対して高い位置に設けることが多く、部品実装時に表示素子または周囲の部品に隠れてプリント配線板に印刷したマークが見えにくくなったり、高さの差によって表示素子の極性であることが認識しにくくなることがあった。また、加熱調理器は加熱状態に応じて複数の表示素子を用いて図形または文字として内容を表示する必要があるため、複数の表示素子の個々の傾きや位置ずれなどがあると連続した表示として見た目が悪くなりやすい。そこで、表示素子の安定装着または表示内容の視認性の向上のために表示素子の周囲にホルダーを設けた構成をとることがあるが、前記従来の構成のようにプリント配線板に印刷されたマークにより極性を視認する方法においてホルダーを設ける構成では、ホルダーがあるために表示素子の近傍のプリント配線板上にマークを印刷するスペースがなかったり、あえて表示素子の近傍にマークを印刷したとしてもホルダーを実装後に装着方向が予め決まっている表示素子を実装する際に、ホルダーによってシンボルマークが見えづらくなる、またはホルダーがシンボルマークを覆ってしまい見えなくなることによって、表示素子の装着方向が分からなくなる、またはホルダーを避けてホルダーの外側にマークを印刷すると表示素子と離れてしまい極性を認識することが困難になるという課題を有していた。
【０００５】
本発明は、前記従来の課題を解決するもので、装着方向が予め決まっている表示素子を実装する際に、表示素子の表示面の近傍で高さも近い位置で実装方向を簡単に視認でき、誤装着防止可能である加熱調理器を提供することを目的とする。
【課題を解決するための手段】
【０００６】
前記従来の課題を解決するために、本発明の加熱調理器は、被加熱体を載置する少なくとも一部を光透過性とした光透過部を有する絶縁板と、前記絶縁板の下方に設けられ、前記被加熱体を加熱する加熱部と、前記加熱部の状態表示を外形が略長方形で構成された表示素子の点灯により前記絶縁板の前記光透過部を介して図形または文字として表示する表示部と、前記表示素子の周囲に設けられ前記表示素子の表示面と平行の面を有し、前記表示素子を収納するホルダーと、を備え、前記表示素子の表示形状は表示中でなくても視認可能であり、前記ホルダーは、前記表示面の鉛直上方から見て前記表示素子で表示される前記表示形状のうち少なくとも一部の特定の表示形状と同一、または相似、または前記特定の表示形状を示すことを認識できる程度に変形した形の凹形状または凸形状に形成した
実装方向指示部を、前記特定の表示形状の近傍の前記面に設けた構成としたものである。
【０００７】
これによって、ホルダーを実装後に装着方向が予め決まっている表示素子を実装する際に、表示形状における特定の表示形状の位置と、ホルダーにある特定の表示形状と同一、または相似、または特定の表示形状を示すことを認識できる程度に変形した形である凹形状または凸形状の実装方向指示部の位置を近づけるように揃えて表示素子を実装することが簡単にでき、表示素子の表示面の近傍で高さも近い位置で実装方向を簡単に視認でき、表示素子の装着方向を間違えて実装してしまうことを回避することが可能となり、また、実装後にも容易に誤装着を判別することが可能となる。
【０００８】
また、本発明の加熱調理器は、被加熱体を載置する少なくとも一部を光透過性とした光透過部を有する絶縁板と、前記絶縁板の下方に設けられ、前記被加熱体を加熱する加熱部と、前記加熱部の状態表示を外形が略長方形で構成された表示素子の点灯により前記絶縁板の前記光透過部を介して図形または文字として表示する表示部と、前記表示素子の周囲に設けられ前記表示素子の表示面と平行の面を有し、前記表示素子を収納するホルダーと、を備え、前記表示素子の表示形状は表示中でなくても視認可能であり、前記ホルダーは、方向を示す凹形状または凸形状に形成された方向を示す目印を前記表示素子の近傍の前記面に有し、前記表示部は、前記表示形状によって上下または左右の識別が可能である構成としたものである。
【０００９】
これによって、ホルダーを実装後に装着方向が予め決まっている表示素子を実装する際に、表示形状の上下または左右の方向と、前記ホルダーにおける方向を示す凹形状または凸形状に形成された方向を示す目印の方向を揃えて表示素子を実装することが簡単にでき、表示素子の表示形状に特徴的な形状を有さない場合や特徴的な形状の近傍にホルダーの平行な面が無い場合であっても表示形状が見た目の方向が明確であれば方向を示す目印を表示素子の表示面近傍の任意の方向に設けることにより実装方向が認識でき、表示素子の表示面の近傍で高さも近い位置で実装方向を簡単に視認でき、表示素子の装着方向を間違えて実装してしまうことを回避することが可能となり、また、実装後にも容易に誤装着を判別することが可能となる。
【発明の効果】
【００１０】
本発明の加熱調理器は、装着方向が予め決まっている表示素子を視認性を確保するためのホルダーとともに実装する際に、前記表示素子の装着方向を容易に視認でき、方向を間違えて装着してしまうことを回避することが可能であり、また、実装後にも容易に誤装着を判別することが可能となる。
【図面の簡単な説明】
【００１１】
【図１】本発明の実施の形態における加熱調理器の構成を示す概略図
【図２】本発明の実施の形態１における表示部を示す図
【図３】本発明の実施の形態２における表示部を示す図
【図４】本発明の実施の形態３における表示部を示す図
【発明を実施するための形態】
【００１２】
第１の発明は、被加熱体を載置する少なくとも一部を光透過性とした光透過部を有する絶縁板と、前記絶縁板の下方に設けられ、前記被加熱体を加熱する加熱部と、前記加熱部の状態表示を外形が略長方形で構成された表示素子の点灯により前記絶縁板の前記光透過部を介して図形または文字として表示する表示部と、前記表示素子の周囲に設けられ前記表示素子の表示面と平行の面を有し、前記表示素子を収納するホルダーと、を備え、前記表示素子の表示形状は表示中でなくても視認可能であり、前記ホルダーは、前記表示面の鉛直上方から見て前記表示素子で表示される前記表示形状のうち少なくとも一部の特定の
表示形状と同一、または相似、または前記特定の表示形状を示すことを認識できる程度に変形した形の凹形状または凸形状に形成した実装方向指示部を、前記特定の表示形状の近傍の前記面に設けた構成としている。これによって、前記ホルダーを実装後に装着方向が予め決まっている前記表示素子を実装する際に、前記表示形状における前記特定の表示形状の位置と、前記ホルダーにある前記特定の表示形状と同一、または相似、または前記特定の表示形状を示すことを認識できる程度に変形した形である凹形状または凸形状の位置を近づけるように揃えて前記表示素子を実装することが簡単にでき、表示素子の表示面の近傍で高さも近い位置で実装方向を簡単に視認でき、前記表示素子の装着方向を間違えてしまうことを回避することが可能となり、また、実装後にも容易に誤装着を判別することが可能となる。
【００１３】
第２の発明は、特に、第１の発明において、前記表示素子は、７セグメントで構成する数字表示と略円形のドット表示を少なくともそれぞれ１つ有する１桁または複数桁の数字表示素子とし、前記特定の表示形状は前記ドット表示とした構成としている。これによって、数字を表示するために一般的に用いられている７セグメントのＬＥＤ表示素子をホルダーとともに実装する際、長方形の外形と数字部の形状が点対称であるために実装方向が分かりにくかったが、ドット表示の位置の近傍のホルダーの面に設けたドット表示と類似した形状の突起または凹み形状を設けて互いに近づけるように揃えて実装することが容易にでき、７セグメントの表示素子の装着方向を間違えずに正しく実装することが容易にでき、また、実装後にも容易に誤装着を判別することができる。
【００１４】
第３の発明は、被加熱体を載置する少なくとも一部を光透過性とした光透過部を有する絶縁板と、前記絶縁板の下方に設けられ、前記被加熱体を加熱する加熱部と、前記加熱部の状態表示を外形が略長方形で構成された表示素子の点灯により前記絶縁板の前記光透過部を介して図形または文字として表示する表示部と、前記表示素子の周囲に設けられ前記表示素子の表示面と平行の面を有し、前記表示素子を収納するホルダーと、を備え、前記表示素子の表示形状は表示中でなくても視認可能であり、前記ホルダーは、凹形状または凸形状に形成された方向を示す目印を前記表示素子の近傍の前記面に有し、前記表示部は、前記表示形状によって上下または左右の識別が可能である構成としている。これによって、前記ホルダーを実装後に装着方向が予め決まっている前記表示素子を実装する際に、前記表示形状の上下または左右の方向と、前記ホルダーにおける方向を示す凹形状または凸形状で構成された目印の方向を揃えて前記表示素子を実装することが簡単にでき、表示素子の表示形状に特徴的な形状を有さない場合や特徴的な形状の近傍にホルダーの平行な面が無い場合であっても表示形状が見た目の方向が明確であれば方向を示す目印を表示素子の表示面近傍の任意の方向に設けることにより実装方向が認識でき、表示素子の表示面の近傍で高さも近い位置で実装方向を簡単に視認でき、前記表示素子の装着方向を間違えてしまうことを回避することが可能となり、また、実装後にも容易に誤装着を判別することが可能となる。
【００１５】
第４の発明は、特に、第１〜第３のいずれか１つの発明において、前記表示部は、前記ホルダーの上方に設けられて前記光透過部の形状が図形または文字の形状をしたメンブレンを介して、発光素子の点灯により前記加熱部の状態表示をし、前記ホルダーは、前記発光素子の前記メンブレンへの照射範囲を任意の範囲に限定するような形状とし、前記表示素子の表示面は、前記メンブレンと略同一高さの面で表示するようにしている。これによって、ホルダーに設けられた実装方向指示部または方向を示す目印が表示素子の表示面と略同一の高さに形成されるために実装方向の視認性がさらに良くなるとともに、使用者が前記絶縁板を介して前記表示部を見る際に、前記加熱部の状態表示面の高さを表示部分によらず均一にでき、斜めから見たときに見え方が変わったり、表示面と絶縁板との距離の違いにより使用者に見た目の違和感を与えることを防ぐことができ、視認性を向上することができる。
【００１６】
以下、本発明の実施の形態について、図面を参照しながら説明する。なお、この実施の形態によって本発明が限定されるものではない。
【００１７】
（実施の形態１）
図１は本発明の実施の形態における加熱調理器の構成を示す概略図であり、図２は本発明の第１の実施の形態における表示部を示す図である。
【００１８】
図１および図２において、本発明の第１の実施の形態における加熱調理器は、鍋などの被加熱体１を載置し、少なくとも一部に光透過部２を有した絶縁板３と、絶縁板３の下方に設けられ、被加熱体１を加熱する加熱部４と、加熱部４の状態表示を外形が略長方形で構成されたＬＣＤまたはＬＥＤ等からなる表示素子５の点灯により絶縁板３の光透過部２を介して図形または文字として表示する表示部６と、表示素子５の周囲に設けられ表示素子５の表示面７と平行の面８を有し、表示素子５を収納するホルダー９と、で構成されている。ここで、表示素子５の表示形状は、通電による表示中でなくても視認可能であり、ホルダー９は、前記表示面の鉛直上方から見て表示素子５で表示される表示形状のうちの一部の特定の表示形状とするドット表示１０と相似形状の凹形状に形成した実装方向指示部１１を、ドット表示１０の近傍の面８に設けた構成となっている。なお、ホルダー９は、表示素子５が実装し易いようにガイドの役割をしたり、表示素子５が実装後に傾かないように支えたり、表示素子５と表示素子５を実装する基板等の間でスペーサの役割をして表示素子５の高さを調節したりすることが可能であるが、表示素子５の周囲に設けられていればよく、機能は限定しない。また、ホルダー９は、凹形または凸形の形状を容易に形成することができる樹脂等の成形が容易な材質からなる。
【００１９】
以上のように構成された加熱調理器について、以下その動作、作用を説明する。
【００２０】
使用者が加熱スイッチ等で加熱動作を開始することにより、加熱部４は使用者により設定された加熱動作を行う。そして上記動作と同時に表示部６には加熱部４の火力などの設定された状態を表示する。この時、表示部６は、表示素子５により図形または文字を形成して点灯しているので、絶縁板３の光透過部２を介して絶縁板３の表面から、使用者は加熱部４がどのような設定状態で動作しているのかを容易に視認することができる。
【００２１】
ここで、上記加熱調理器の表示部６の部品実装時を考えると、装着方向が予め決まっている表示素子５を実装する際、ホルダー９を実装後に、表示素子５で表示される表示形状における特定の表示形状としたドット表示１０の位置と、ホルダー９にあるドット表示１０と表示面７の鉛直上方から見て相似形状となるように設けられた凹形状の実装方向指示部１１の位置を、例えば両者の距離が最短となるように方向を合わせて、表示素子５を実装することで、表示素子５の表示面７の近傍で高さも近い位置で実装方向を簡単に視認でき、表示素子５の装着方向を間違えて実装してしまうことを回避することが可能となり、また、実装後に容易に誤装着を判別することが可能となる。ここで、ドット表示１０と実装方向指示部１１が相似であるとしたが、当然同一形状でもよく、またはドット表示に限らず表示素子５の表示形状のうちの特定の表示形状を示すことを認識できる程度に変形した形でもよい。例えば、一方が丸形状である場合に他方は同じサイズの丸形状、またはサイズ違いの丸形状、または四角形などの多角形ではあるがサイズを近づけることで巨視的に見れば丸形状に見える形状としたり、さらには特定の表示形状が例えば文字を含む楕円形状である場合、実装方向指示部１１は丸形状とするなど、特定の表示形状を認識できる程度に簡略化してホルダー９の面８に形成可能にした凹形または凸形の形状としても同様の効果が得られる。
【００２２】
なお、ホルダー９は、凹形または凸形の形状を容易に形成することができる樹脂等の成
形が容易な材質からなるので、ホルダー９の全体形状の成形時に凹形または凸形の形状を同時に成形することが可能であり、全体形状の成形後にホルダー９の面８または表示素子５を実装している基板上面などに、誤装着防止のための印刷を施したり、ペンやスタンプなどでマーキングしたりするより低コストで誤装着防止が実現可能である。
【００２３】
また、表示素子５の表示形状は通電による表示中でなくても視認可能であるので、非通電状態である部品実装時に表示形状が確認可能であり、表示形状による装着方向の判別を行うことができる。
【００２４】
また、本実施の形態において、表示素子５は、ＬＥＤ等からなる７セグメントで構成する数字表示１２と略円形のドット表示１０を少なくともそれぞれ１つ有する１桁または複数桁の数字表示素子としたが、表示素子５の表示内容はこれに限るものではなく、表示形状のうちの一部の特定の表示形状を選択して類似の形状の凹形または凸形の形状をホルダー９の面８に設ければ同様の効果が得られる。本実施の形態において、７セグメントの数字表示とドットの表示を有する表示素子５を用いた場合、１桁の数字表示１２の点灯・消灯を組み合わせた１〜９の数字と、ドット表示１０の点灯・消灯により、例えば小さい順から「１」、「１．」、「２」、「２．」、〜、「７．」、「８」、「８．」、「９」、「９．」と最大で１８段階の大きさを表現することが可能となる。これによって、火力段数の表示に用いた場合、設定火力の数だけＬＥＤを並べて表示する必要がなく、汎用で安価なドット表示付きの７セグメント数値表示素子のみで多数の設定段階を持つ火力設定表示を行えるので、安価な構成かつ表示領域を小さくすることができると共に、きめ細かな火力設定ができるような多段の加熱火力段数を設定でき、加熱火力段数が多くなっても火力設定の強さが簡単かつ短時間にひと目で認識できるようにして使い勝手を向上させている。
【００２５】
（実施の形態２）
図３は、本発明の第２の実施の形態における加熱調理器の表示部を示す図である。第１の実施の形態と同様の部分については説明を省略し、異なる部分について説明する。図３において、表示部６は、ホルダー９の上方に設けられて光透過形状１３が図形または文字の形状をしたメンブレン１４を介して、発光素子１５の点灯により加熱部４の状態表示をし、ホルダー９は、発光素子１５のメンブレン１４への照射範囲を任意の範囲に限定するような形状の導光部１６を有し、メンブレン１４は導光部１６の上側開口を覆うように設けられ、表示素子５の表示面７は、メンブレン１４と略同一高さで表示するような構成である。これにより、ホルダー９に設けられた実装方向指示部１１が表示素子５の表示面７と略同一の高さに形成されるために実装方向の視認性がさらに良くなるとともに、絶縁板３から表示素子５の表示面７までの距離と、絶縁板３から発光素子１５の点灯により表示されるメンブレン１４までの距離を合わせることができ、使用者が絶縁板３を介して表示部６を見る際に、加熱部４の状態表示面の高さを表示部分によらず均一にでき、斜めから見たときに見え方が変わったり、表示面と絶縁板との距離の違いにより使用者に見た目の違和感を与えることを防ぐことができ、視認性を向上することができる。
【００２６】
以上のように、本実施の形態においては、装着方向が予め決まっている表示素子５を実装する際、ホルダー９を実装後に、表示素子５で表示される表示形状における特定の表示形状の位置と、ホルダー９に設けられた実装方向指示部１１の位置を揃えて表示素子５を実装することで、表示素子５の装着方向を間違えて実装してしまうことを回避することが可能となり、また、実装後に容易に誤装着を判別することが可能となる。
【００２７】
なお、本実施の形態において、メンブレン１４は発光素子１５の点灯により加熱部４の状態表示をし、ホルダー９は、発光素子１５のメンブレン１４への照射範囲を任意の範囲に限定するような形状としたが、メンブレン１４は表示素子５の表示領域を含めて覆い、
表示素子５の表示領域の上にも光透過形状１３を設けて表示素子５の表示が透過して見えるようにしてもよい。その場合は、特定の表示形状を示すことを認識できるようにホルダー９に設けた実装方向指示部１１の形状を凸形とするとメンブレン１４と干渉するので、形状を凹形とするか、または凸形とするのであればメンブレン側で実装方向指示部１１を避けるようにすればよい。
【００２８】
また、メンブレン１４の光透過形状１３は発光素子１５の光をそのまま透過させるように透明に構成しても、発光素子１５の光を拡散するように印刷または表面処理を施したものでもよく、光透過形状１３はメンブレン１４の光透過形状１３以外の部分に比べて発光素子１５の光の透過率を高くして表示部６を使用者が見たときに光透過形状１３の形状が視認できるように構成すれば同様の効果を得ることができる。
【００２９】
また、発光素子１５は表示素子５を実装している基板の上に設けた表面実装型または挿入実装型のＬＥＤまたは他の発光する素子を想定しており、表示素子５の表示面７よりも低い位置で発光するものであればこれに限るものではない。
【００３０】
（実施の形態３）
図４は本発明の第３の実施の形態における加熱調理器の構成を示す概略図である。
【００３１】
第１の実施の形態と同様の部分については説明を省略し、異なる部分について説明する。
【００３２】
図４では、図１における加熱調理器の構成に対して、ホルダー９は、表示面７の鉛直上方から見て表示素子５で表示される表示形状のうちの一部の特定の表示形状と相似形状の凹形状に形成した実装方向指示部１１を、特定の表示形状の近傍の面８に設けた構成に代えて、ホルダー１７は、上方向を示す矢印を凸形状で構成した方向を示す目印１８を表示素子５の近傍の表示素子５の表示面７と平行なホルダー１７における面１９に有し、表示部６は、表示素子５の表示形状におけるドット表示１０の位置によって上下の識別が容易に可能である構成となっている。
【００３３】
以上のように構成された加熱調理器について、以下その動作、作用を説明する。
【００３４】
いま、上記の加熱調理器の表示部６の部品実装時を考えると、装着方向が予め決まっている表示素子５を実装する際、ホルダー１７を実装後に、表示形状のドット表示１０を下にしたときの上方向と、ホルダー１７における上方向を示す凸形状の矢印で構成された方向を示す目印１８の方向を揃えて表示素子５を実装することが簡単にでき、表示素子の表示形状に特徴的な形状を有さない場合や特徴的な形状の近傍にホルダーの平行な面が無い場合であっても表示形状が見た目の方向が明確であれば方向を示す目印を表示素子の表示面近傍の任意の方向に設けることにより実装方向が認識でき、表示素子の表示面の近傍で高さも近い位置で実装方向を簡単に視認でき、表示素子５の装着方向を間違えてしまうことを回避することが可能となり、また、実装後に容易に誤装着を判別することが可能となる。
【００３５】
ここで、方向を示す目印１８とは、例えば、矢印や、方向を表す文字、頂角で方向を示すことが可能な二等辺三角形、左右または上下が非対称でどの方向が上下または左右となるかを明確に指定できる図形などが挙げられる。上下または左右の識別が可能である表示素子５の表示形状とは、例えば、上下関係がはっきりしている文字や、通常使用時に上下関係がはっきりしている鍋などの物を表す絵柄、小数点を表すドット表示を有する数字表示などのように左右または上下が非対称でどの方向が上下または左右となるかを明確に指定できる図形が挙げられる。
【００３６】
以上のように、本実施の形態においては、装着方向が予め決まっている表示素子５を実装する際、ホルダー１７を実装後に、表示素子５の表示形状の上下または左右の方向と、ホルダー１７における方向を示す目印１８が示す方向を揃えて表示素子５を実装することで、表示素子５の装着方向を間違えてしまうことを回避することが可能となり、また、実装後に容易に誤装着を判別することが可能となる。
【００３７】
なお、本実施の形態において、方向を示す目印１８を凸形状としたが、凹形状であっても効果に差はない。また、矢印により上方向を示したが、例えば横棒を表示素子５の表示下側に設けて下方向を示すなど、方向が一般的に明確であれば他の方向および形状でも同様の効果を得ることができる。
【産業上の利用可能性】
【００３８】
以上のように、本発明は、装着方向が予め決まっている表示素子を実装する際に、誤装着を防止することができるため、誘導加熱調理器や炊飯器、ホットプレート、トースター等の調理器の他に、表示素子をホルダーに収納するように実装する電子回路一般に適用できる。
【符号の説明】
【００３９】
１  被加熱体
２  光透過部
３  絶縁板
４  加熱部
５  表示素子
６  表示部
７  表示面
８  面
９  ホルダー
１０  ドット表示
１１  実装方向指示部
１２  数字表示
１３  光透過形状
１４  メンブレン
１５  発光素子
１６  導光部
１７  ホルダー
１８  方向を示す目印
１９  面
【図１】
2014153043.tif 000003
【図２】
2014153043.tif 000004
【図３】
2014153043.tif 000005
【図４】
2014153043.tif 000006